(57)【要約】【課題】  ケージに着脱可能であり、かつ、光コネクタの挿入時にケージに確実に固定され、部品点数が削減された光モジュールを提供する。【解決手段】  光モジュール１は、ケージのロック片に対向するロック片突当部１２ｈを有する回路基板１２ｄを備える。回路基板１２ｄの一方の面を覆う第１の部材１６は、回路基板１２ｄを所定軸Ｘ方向に案内するガイド溝１６ｍを含むガイド部１６ｔを有する。第１の部材１６には、ケージからの取り出し時に回路基板１２ｄの筐体突当部１２ｉに当接する回路基板突当部１６ｋと、ロック片によるロックを解除するための押出部１６ｎとが設けられている。回路基板１２ｄの他方の面を覆う第２の部材１８には、ラッチ爪１８ｆが設けられている。ラッチ爪１８ｆは、レセプタクルに挿入される光コネクタによって基端が屈曲され、回路基板１２ｄの係合部１２ｇと係合する。【選択図】  図２
2005025104.tif 000002
【特許請求の範囲】
【請求項１】
収容空間を提供し、該収容空間に端部が突出する屈曲可能なロック片を有するケージの該収容空間に挿入される光モジュールであって、
係合部と、前記収容空間への収容時に前記ロック片の端部に対向するロック片突当部とを有する回路基板と
光コネクタを受容するレセプタクル部と、前記回路基板を擦動可能に収容する胴体部とを有する筐体と
を備え、
前記胴体部は、
前記レセプタクル部に前記光コネクタが挿入された時に前記回路基板の係合部に係合し、前記ロック片と前記ロック片突当部とを当接させるラッチ爪と、
前記回路基板をガイドするガイド部と、該ガイド部に沿うように設けられ前記収容空間からの取り出し時に前記ロック片を該収容空間の外側に押し出す押出部と
を有し、
前記光コネクタが前記レセプタクル部から取り外されることによって前記ラッチ爪と前記係合部との係合が解除され、該光モジュールが前記ケージから抜き取られる際に、前記ロック片と前記ロック片突当部とが離され、前記押出部が前記ロック片を前記収容空間の外側に押出す
ことを特徴とする光モジュール。
【請求項２】
前記ケージは、前記ホストボードに固定され、前記収容空間には該ホストボードと電気的に接続された電気コネクタが設けられており、
前記回路基板は、前記収容空間への収容時に前記電気コネクタに嵌合されるコネクタと、前記収容空間からの取り出し時に前記筐体に突き当てられる筐体突当部とを有し、
前記筐体は、前記収容空間からの取り出し時に前記筐体突当部に突き当てられる回路基板突当部とを有し、
該光モジュールの前記収容空間からの取り出し時に、前記筐体突当部と前記回路基板突当部とが当接することによって、前記回路基板が前記電気コネクタから引き抜かれる
ことを特徴とする請求項１に記載の光モジュール。
【請求項３】
光電変換素子が搭載された光サブアセンブリと、
該光サブアセンブリと前記回路基板とを電気的に接続する可撓性の接続部材と
を更に備え、
前記光サブアセンブリは、その一端が前記レセプタクル部に収容されており、前記光コネクタと光学的に結合されることを特徴とする請求項１又は２に記載の光モジュール。
【発明の詳細な説明】
【技術分野】
【０００１】
本発明は、光モジュールに関するものである。
【背景技術】
【０００２】
ホストボードに搭載されたケージに着脱可能な光モジュールには種々のものがある。その一種として、光電変換素子を搭載した光サブアセンブリと、接続部材を介して光サブアセンブリと電気的に接続された回路基板と、開口端から挿入される光コネクタを受容するレセプタクル部材と、ケージに設けられたラッチ孔に挿入されるラッチ爪を一端に有するブロックと、軸部と軸部に対向するよう設けられたグリップ部を有しラッチ孔に挿入されたラッチ爪を解放するためのベールとを備えるものがある。ブロックは、他端にベールの軸部が収容される溝が設けられており、一端と他端との間には軸部材が設けられている。この軸部材はレセプタクル部材の下壁に設けられた第１の軸受け部に支持されている。ベールの軸部は、レセプタクル部材の下壁に設けられた第２の軸受け部に軸支されており、グリップ部はレセプタクル部材の開口端前方を旋回可能とされている。
【０００３】
この光モジュールでは、ケージへの固定時に、ラッチ孔にラッチ爪が挿入されると共に、レセプタクル部材の下壁と反対側の上壁に設けられた固定部にベールのグリップ部が固定される。一方、固定部からベールのグリップ部を取り外して下方へ移動させブロックの他端を下方へ移動させるとラッチ孔に挿入されたラッチ爪が解放され、この光モジュールをケージから取り出すことができる。この光モジュールは、上記の固定部にベールのグリップ部が固定され、レセプタクル部材に光コネクタが挿入された状態では、ベールを操作することができない。したがって、光コネクタの挿入時に光モジュールをケージから取り出すことができない安全構造とされている。
【特許文献１】米国特許第６４３９９１８号明細書
【発明の開示】
【発明が解決しようとする課題】
【０００４】
上述したように従来の光モジュールは、ケージに固定するためのラッチ爪を有するブロックや、ケージから取り出すためのベール等、種々の部品を備える必要があり、部品点数を削減することが望まれていた。
【０００５】
そこで本発明は、ケージに着脱可能であり、かつ、光コネクタの挿入時にケージに確実に固定され、部品点数が削減された光モジュールを提供することを課題としている。
【課題を解決するための手段】
【０００６】
上記課題を解決するため、本発明の光モジュールは、収容空間を提供し、収容空間に端部が突出する屈曲可能なロック片を有するケージの該収容空間に挿入される光モジュールであって、回路基板と、筐体とを備える。回路基板は、係合部と、上記の収容空間への収容時にロック片の端部に対向するロック片突当部とを有する。筐体は、光コネクタを受容するレセプタクル部と、回路基板を擦動可能に収容する胴体部とを有する。胴体部は、レセプタクル部に光コネクタが挿入された時に回路基板の係合部に係合し、前記ロック片と前記ロック片突当部とを当接させるラッチ爪と、回路基板をガイドするためのガイド部と、ガイド部に沿うように設けられ収容空間からの取り出し時にロック片を収容空間の外側に押し出す押出部とを有する。光コネクタがレセプタクル部から取り外されることによってラッチ爪と係合部との係合が解除され、光モジュールがケージから抜き取られる際に、ロック片とロック片突当部とが離され、押出部がロック片を収容空間の外側に押出す。
【０００７】
かかる構成によれば、ケージへの収容時には、回路基板のロック片突当部とロック片の端部とが対向する。この状態で、レセプタクル部へ光コネクタが挿入されると、ラッチ爪が回路基板の係合部に係合し、回路基板と筐体との位置関係が固定される。したがって、レセプタクル部への光コネクタの挿入時に、この光モジュールはケージに対して確実に固定される。一方、光コネクタがレセプタクル部から取り出されると、ラッチ爪の先端と回路基板の係合部との係合が解除される。この状態で、筐体がケージから引き出されると、押出部によってロック片が収容空間外へ押出され、回路基板のロック片突当部とロック片とのロックが解除され、光モジュールがケージから取り出される。
【発明の効果】
【０００８】
以上説明したように、本発明によれば、ケージに着脱可能であり、かつ、光コネクタの挿入時にケージに確実に固定され、部品点数が削減された光モジュールが提供される。
【発明を実施するための最良の形態】
【０００９】
以下、図面を参照して本発明の実施形態にかかる光モジュール１について詳細に説明する。なお、以下の説明に用いる各図面において同一又は相当の部分に対しては同一の符号を附すこととする。
【００１０】
図１は、光モジュール１と、ホストボード２と、ベゼル４と、ケージ６と、電気コネクタ８とを含む光モジュール生産物１０を一部破断して示す斜視図である。以下、本明細書において方向を示す語のうち「上下」については、ホストボード２の上方からケージ６を取り付けた状態、すなわち、図１に示す状態を基準とする。また、「前後」については、ケージ６への光モジュール１の挿入方向（図中Ａ方向）を後とし、光モジュール１を取り出す方向（図中Ｂ方向）を前としている。また、「内外」については、ケージ６の中心軸線に向かう方向を内としている。
【００１１】
ケージ６は、所定軸Ｘ方向に延びる一対の側壁６ａ及び上壁６ｂとを有している。一対の側壁６ａ及び上壁６ｂは、光モジュール１を収容するための収容空間６ｃを規定している。ケージ６の前方端は光モジュール１を収容空間６ｃに受容するために開口されている。この開口は、ホストボード２の前面に設けられたベゼル４の開口と連通している。
【００１２】
一対の側壁６ａの各々には、ロック片６ｄが設けられている。ロック片６ｄは、側壁６ａから切り出されたものである。ロック片６ｄは、その端部６ｅがケージ６の後方端を向くように、収容空間６ｃへ突出されている。このロック片６ｄは、収容空間６ｃの外側に向けて屈曲可能とされている。
【００１３】
一対の側壁６ａには、所定の間隔を隔てて複数のピン６ｆが設けられている。ピン６ｆが、ホストボード２に設けられた孔に埋め込まれることによって、ケージ６はホストボード２に固定される。
【００１４】
ホストボード２には、電気コネクタ８が設けられており、電気コネクタ８はホストボード２に取り付けられたケージ６の後端部に配置され、収容空間６ｃに収容されている。この電気コネクタ８には、上記のケージ６の開口から収容空間６ｃに挿入される光モジュール１が、電気的に接続される。
【００１５】
図２は、光モジュール１の分解斜視図であり、図１に示す光モジュール１の上下を反転して示している。図２に示すように、光モジュール１は、光ユニット１２と、筐体１４とを備えている。
【００１６】
光ユニット１２は、光サブアセンブリ１２ａ及び１２ｂと、接続部材１２ｃと、回路基板１２ｄとを有している。本実施形態では、光サブアセンブリ１２ａは、半導体レーザといった発光素子を搭載しており、所定軸Ｘ方向に光を出射する。光サブアセンブリ１２ｂは、フォトダイオードといった受光素子を搭載しており、所定軸Ｘ方向から入射する光の強度に応じた光電流を出力する。
【００１７】
光サブアセンブリ１２ａ及び１２ｂは、それぞれ接続部材１２ｃを介して回路基板１２ｄと電気的に接続される。接続部材１２ｃは、所定軸Ｘ方向に伸縮自在の可撓性を有している。接続部材１２ｃには、例えば、フレキシブルプリント基板を用いることができる。
【００１８】
回路基板１２ｄは、ケージ６の側壁６ａに交差する所定の基準面に沿って設けられており、所定軸Ｘ方向に延びている。回路基板１２ｄの前方端には、上述したように、接続部材１２ｃを介して光サブアセンブリ１２ａ及び１２ｂが電気的に接続されている。回路基板１２ｄの後方端１２ｅは、電気コネクタ８に嵌合されるカードエッジコネクタとされている。
【００１９】
回路基板１２ｄは、所定軸Ｘ方向に延びる一対の縁部１２ｆと、係合部１２ｇとを含んでいる。縁部１２ｆの前方端は、ロック片６ｄの端部６ｅに対向するロック片突当部１２ｈとされており、後方端は、後述する回路基板突当部１６ｋと対向する筐体突当部１２ｉとされている。
【００２０】
係合部１２ｇは、ケージ６の後端に対向する係合面１２ｊを含んでいる。本実施形態では、係合部１２ｇは、回路基板１２ｄの前方端において、回路基板１２ｄの縁から延出された突起とされている。
【００２１】
筐体１４は、レセプタクル部１４ａと、胴体部１４ｂとを有する。本実施形態では、筐体１４は、回路基板１２ｄの一方の面を覆う第１の部材１６と、回路基板１２ｄの他方の面を覆う第２の部材１８とから構成されている。第２の部材１８は、胴体部１４ｂの一部をなしている。
【００２２】
第１の部材１６は、レセプタクル部１４ａを含んでいる。第１の部材１６は、回路基板１２ｄ等、光モジュール１の放熱性を高めるために、アルミ合金製であることが好ましい。
【００２３】
図３は、レセプタクル部１４ａ近傍を拡大して示す光モジュール１の斜視図であり、光モジュール１を一部破断して示している。図３に示すように、レセプタクル部１４ａは、所定軸Ｘ方向に延びる一対の側壁１６ｃ、所定軸Ｘ方向に延びる隔壁１６ｄ、側壁１６ｃ及び隔壁１６ｄに交差する面に沿い所定軸Ｘ方向に延びる下壁１６ｅを有している。
【００２４】
レセプタクル部１４ａには、側壁１６ｃ及び隔壁１６ｄによって規定されるレセプタクル１６ｆ及び１６ｇが設けられている。レセプタクル１６ｆ及び１６ｇは、所定軸Ｘ方向に延びており、前方の開口から挿入される光コネクタを受容する。レセプタクル１６ｆの後方の開口には、光サブアセンブリ１２ａの頭部が挿入されており、レセプタクル１６ｇの後方の開口には、光サブアセンブリ１２ｂの頭部が挿入されている。レセプタクル部１４ａは、光サブアセンブリ１２ａ及び１２ｂと光コネクタに保持された光ファイバとを光学的に結合する。
【００２５】
レセプタクル部１４ａの側壁１６ｃ及び隔壁１６ｄの内面には、所定軸Ｘ方向に延びる溝１６ｈが設けられている。レセプタクル部１４ａには、この溝１６ｈに交差する溝１６ｉが、レセプタクル部１４ａの上部へ延びるように設けられている。光コネクタの挿入時には、光コネクタに設けられたラッチ爪が溝１６ｈを通過した後、溝１６ｉに係合されることによって、レセプタクル部１４ａに光コネクタが固定される。
【００２６】
図２に示すように、第１の部材１６は、所定軸Ｘ方向に延びる一対の側壁１６ｂを有する。一対の側壁１６ｂは、筐体１４の胴体部１４ｂの一部をなしている。一対の側壁１６ｂは、上述した所定の基準面に交差する面に沿い所定軸Ｘ方向に延びている。一対の側壁１６ｂには、回路基板１２ｄの縁部１２ｆを所定軸Ｘ方向に案内するためのガイド部１６ｔが設けられている。ガイド部１６ｔには、所定の基準面に沿うガイド面１６ｊと、ガイド面１６ｊに連続して所定軸Ｘ方向に延びるように設けられたガイド溝１６ｍが含まれている。本実施形態では、ガイド面１６ｊは、一対の側壁１６ｂを所定の基準面に交差する方向に凹状に切り欠くことによって設けられている。なお、ガイド面１６ｊの後端においてガイド面１６ｊと交差する部分は、回路基板突当部１６ｋとされている。回路基板突当部１６ｋの機能については、後述する。
【００２７】
一対の側壁１６ｂの外側の面には、ガイド溝１６ｍの縁に沿って押出部１６ｎが設けられている。押出部１６ｎは、光モジュール１をケージ６から取り出す際に、ロック片６ｄを収容空間６ｃの外側へ押し出すために設けられている。本実施形態では、押出部１６ｎは、ケージ６の後端に向かうにしたがってケージ６の側壁６ａに向けて広がる斜面とされている。
【００２８】
一対の側壁１６ｂの外側の面には、さらに突起１６ｐが設けられている。突起１６ｐが、第２の部材１８の一対の側壁１８ａにそれぞれ設けられた孔１８ｂにそれぞれ嵌合されることによって、第２の部材１８が第１の部材１６に固定される。
【００２９】
図４は、第２の部材１８の斜視図であり、図２に示す第２の部材１８の上下を反転して示している。図３及び図４に示すように、第２の部材１８は、上記の所定の基準面に交差し所定軸Ｘ方向に延びる一対の側壁１８ａと、側壁１８ａに交差する壁１８ｃを有している。
【００３０】
一対の側壁１８ａには、開口１８ｄが設けられている。ロック片６ｄは、開口１８ｄを通過して、ガイド溝１６ｍから露出された回路基板１２ｄのロック片突当部１２ｈに対向する。また、一対の側壁１８ａには、回路基板１２ｄの縁部１２ｆをガイド面１６ｊの反対側から支持する支持片１８ｅが切り出されている。
【００３１】
第２の部材の壁１８ｂには、ラッチ爪１８ｆが設けられている。ラッチ爪１８ｆは、第２の部材の壁１８ｃから切り出されている。ラッチ爪１８ｆの基端１８ｇは、壁１８ｃに屈曲可能に支持されている。ラッチ爪１８ｆは、レセプタクル１６ｆ及び１６ｇに突出するように基端１８ｇを付勢されている。また、ラッチ爪１８ｆの先端１８ｈは、係合面１２ｊに対向する面に沿うように屈曲されている。
【００３２】
図３に示すように、基端１８ｇは、レセプタクル１６ｆ及び１６ｇに光コネクタが挿入されると、光コネクタによって図中Ｃ方向に屈曲される。このように基端１８ｈが屈曲されることによって、ラッチ爪１８ｆの先端１８ｈが係合部１２ｇに係合し、回路基板１２ｄと筐体１４の位置関係が固定される。なお、以上のようなラッチ爪１８ｆの機能を得るために、第２の部材１８はステンレスといったバネ材によって構成されることが好ましい。
【００３３】
また、図４に示すように、第２の部材１８の後方端には、壁１８ｃに基端が屈曲可能に支持されたバネ１８ｊが設けられている。バネ１８ｊは、第２の部材１８の壁１８ｃから切り出されたものである。
【００３４】
バネ１８ｊは、回路基板１２ｄの縁部１２ｆの後方端にのうち、上記の回路基板突当部１６ｋに対向する位置より内方の面１２ｋに当接し、光モジュール１の前方へ回路基板１２ｄを付勢している。回路基板１２ｄがバネ１８ｊによって付勢されることによって、回路基板１２ｄの縁部１２ｆがガイド溝１６ｍの前方端へ移動し、ロック片突当部１２ｈが押出部１６ｎの斜面から外側へ突出される。
【００３５】
以下、本実施形態にかかる光モジュール１の作用について添付の図５を参照しつつ説明する。図５は（ａ）は、ロック片突当部１２ｈと押出部１６ｎとの位置関係を示す斜視図であり、ラッチ爪１８ｆと係合部１２ｇとが係合されたときの状態を示す。また、図５（ｂ）は、図５（ａ）の状態をケージ６のロック片６ｄと共に示す斜視図である。また、図５（ｃ）は、ロック片突当部１２ｈと押出部１６ｎとの位置関係を示す斜視図であり、ラッチ爪１８ｆと係合部１２ｇとの係合が解除された状態を示す。
【００３６】
光モジュール１をケージ６によって形成された収容空間６ｃへ挿入すると、回路基板１２ｄの後方端１２ｅに設けられたカードエッジコネクタが電気コネクタ８に嵌合される。
【００３７】
光コネクタがレセプタクル１６ｆ及び１６ｇに挿入されると、ラッチ爪１８ｆの先端１８ｈが回路基板１２ｄの係合部１２ｇと係合し、筐体１４と回路基板１２ｄとの位置関係が固定される。この状態において、図５（ａ）に示すように、ロック片突当部１２ｈは、押出部１６ｎより外側に露出するように構成されており、回路基板１２ｄのロック片突当部１２ｈとロック片６ｄの端部６ｅとが当接している。
【００３８】
したがって、光モジュール１をケージ６から取り出そうとしても、ロック片６ｄの端部６ｅが押出部１６ｎによって外側へ押し出されることなく、図５（ｂ）に示すようにロック片突当部１２ｈとロック片６ｄの端部６ｅが当接するので、光モジュール１がケージ６に対して確実に固定される。
【００３９】
一方、光コネクタのレセプタクル１６ｆ及び１６ｇへの未挿入時に、ケージ６からの取り出し方向（図１のＢ方向）に光モジュール１を移動させると、図５（ｃ）に示すように、回路基板１２ｄは電気コネクタ８に嵌合されたままで、筐体１４のみが取り出し方向に移動する。そして、第１の部材１６の押出部１６ｎによってロック片６ｄが収容空間６ｃの外側へ押出される。さらに、ケージ６からの取り出し方向に光モジュール１を移動させると、回路基板１２ｄの筐体突当部１２ｉが回路基板突当部１６ｋに当接し、回路基板１２ｄが電気コネクタ８から取り外されることによって、光モジュール１がケージ６から取り出される。このように、光モジュール１は、光コネクタの挿入時にはケージ６へ確実に固定される。一方、光コネクタの未装着時には、ベール等の部材を備えなくとも、光モジュール１をケージ６から取り出すことが可能である。
【図面の簡単な説明】
【００４０】
【図１】図１は、実施形態にかかる光モジュールと、ホストボードと、ベゼルと、ケージと、電気コネクタとを含む光モジュール生産物を一部破断して示す斜視図である。
【図２】図２は、実施形態にかかる光モジュールの分解斜視図である。
【図３】図３は、実施形態にかかる光モジュールのレセプタクル部近傍を拡大して示す斜視図であり、光モジュールを一部破断して示している。
【図４】図４は、第２の部材の斜視図である。
【図５】図５（ａ）は、回路基板のロック片突当部と押出部との位置関係を示す斜視図であり、ラッチ爪と係合部とが係合されたときの状態を示す。  図５（ｂ）は、回路基板のロック片突当部と押出部との位置関係をケージのロック片と共に示す斜視図であり、ラッチ爪と係合部とが係合されたときの状態を示す。  図５（ｃ）は、回路基板のロック片突当部と押出部との位置関係を示す斜視図であり、ラッチ爪と係合部との係合が解除された状態を示す。
【符号の説明】
【００４１】
１…光モジュール、２…ホストボード、４…ベゼル、６…ケージ、６ｃ…収容空間、６ｄ…ロック片、８…電気コネクタ、１０…光モジュール生産物、１２…光ユニット、１２ａ，１２ｂ…光サブアセンブリ、１２ｃ…接続部材、１２ｄ…回路基板、１２ｈ…ロック片突当部、１２ｇ…係合部、１４…筐体、１４ａ…レセプタクル部、１４ｂ…胴体部、１６…第１の部材、１６ｊ…ガイド面、１６ｍ…ガイド溝、１６ｎ…押出部、１６ｔ…ガイド部、１８…第２の部材、１８ｆ…ラッチ爪。
【図１】
2005025104.tif 000003
【図２】
2005025104.tif 000004
【図３】
2005025104.tif 000005
【図４】
2005025104.tif 000006
【図５】
2005025104.tif 000007